(57)【要約】    【課題】      携帯電話端末のアプリケーション機能を利用して自動的に体内に薬物を注入すること。    【解決手段】  携帯電話端末１００は、所定の着信があったとき、又は、所定の時刻になったとき、オプション装置として着脱可能に取り付けられる自動注射装置１１０に作動指示を発行する。自動注射装置１１０は、薬物を体内に注入する必要最小限の仕組みとして、携帯電話端末１００に着脱可能に取り付けるためのアダプタ１１２と、薬物を予め入れておくためのシリンダ１１３〜１１５と、シリンダに接続されたチューブ１１６の先端に取り付けられた注射針１１７と、携帯電話端末１００からの作動指示を受けてシリンダを駆動し薬物を体に刺した注射針に向けて送り込む制御を行う制御部１１８とを備える。  【選択図】      図１
2005253536.tif 000002
【特許請求の範囲】
【請求項１】
携帯電話端末と、前記携帯電話端末にオプション装置として着脱可能に取り付けることができ当該携帯電話端末からの作動指示を受けて薬物を体内に注入する必要最小限の仕組みを有する自動注射装置とを具備することを特徴とする自動注射システム。
【請求項２】
前記自動注射装置は、前記携帯電話端末に着脱可能に取り付けるためのアダプタと、
薬物を予め入れておくためのシリンダと、
前記シリンダに接続された管の先端に取り付けられた注射針と、
前記携帯電話端末からの作動指示を受けて前記シリンダを駆動し薬物を前記注射針に向けて送り込む制御を行う制御手段と、を具備することを特徴とする請求項１記載の自動注射システム。
【請求項３】
前記自動注射装置が有するシリンダの数は、少なくとも、ある使用期間内において薬物を注射する回数と等しい数であることを特徴とする請求項２記載の自動注射システム。
【請求項４】
前記携帯電話端末は、所定の着信があったときに前記自動注射装置に対して前記作動指示を発行するアプリケーションを具備することを特徴とする請求項１記載の自動注射システム。
【請求項５】
前記携帯電話端末が有するアプリケーションは、予め登録されている電話番号からの着信があったときに前記自動注射装置に対して前記作動指示を発行する機能を具備することを特徴とする請求項４記載の自動注射システム。
【請求項６】
前記携帯電話端末は、内蔵される時計が所定の時刻になったときに前記自動注射装置に対して前記作動指示を発行するアプリケーションを具備することを特徴とする請求項１記載の自動注射システム。
【請求項７】
前記携帯電話端末は、ペースメーカやその他の電子機器に影響を与えにくい通信方式を具備することを特徴とする請求項１記載の自動注射システム。
【発明の詳細な説明】
【技術分野】
【０００１】
本発明は、薬物を人体に自動的に注射することのできる自動注射システムに関する。
【背景技術】
【０００２】
従来、付属する無線装置からの指示に基づき自動注射装置が注射器を駆動し、薬物を人体に注射することのできる自動注射システムが知られている（例えば特許文献１）。以下、図４を参照して、その概要を説明する。
【０００３】
図４は、特許文献１に開示された従来の自動注射システムの構成を示すブロック図である。図４の自動注射システムは、自動注射装置としての埋め込み式医療デバイス４００と付属する無線装置としての外部サブシステム４５０とで構成されている。
【０００４】
外装式通信デバイス４５０は、（１）望ましくは耐久プラスチック材を含むハウジングまたはカバーを有するサブシステム４５１、（２）制御プログラムと作動データを格納するＣＰＵまたはメモリ素子を含むプロセッシングエレクトロニクス４５２、（３）ユーザーに情報のための操作を提供するＬＣＤディスプレー４５３、（４）ユーザーからの入力を受けるキーパッド４５４、（５）ユーザーに情報を提供するオーディオアラーム４５５、（６）ユーザーに情報を提供する振動子４５６、（７）デバイスに電力を供給する主要電池４５７、（８）デバイスのためメモリ維持を提供する予備電池４５８、（９）埋め込み式医療デバイス４００とのあいだの信号の送信と受信のための無線周波数（ＲＦ）遠隔計測システム４５９、および（１０）第二外装式通信デバイスとの交信用赤外線（ＩＲ）入力／出力システム４６０を備えている。
【０００５】
埋め込み式医療デバイス４００は、（１）好ましくは生物学的適合性のため被覆されているか、又はされていないチタニウム製のハウジングあるいはカバーからなる埋め込みユニット４０１、（カテーテルハウジング）４０２、（２）制御プログラムと作動データを格納する二つのＣＰＵおよびメモリ素子を含むプロセッシングエレクトロニクス４１１、（３）システムに電力を供給する電池４１２、（４）外部サブシステム４５０と通信信号（すなわちメッセージ）を送受信するＲＦ遠隔計測システム４１３、（５）ユーザーにフィードバックを提供するアラームまたはブザー４１４、（６）必要に応じて新たに補給薬液を受ける補充口４１５、（７）将来の輸液に備えて薬液を収納する貯留槽４１６、（８）貯留槽からカテーテルを介して患者の身体に所定の薬剤を注入するためのポンプ機構４１７、（９）ポンプハウジング４０１とカテーテルハウジング４０２とのあいだに交換可能なコネクションを提供し、液体操作システムの診断テストを可能にする側口４２１、および（１０）埋め込み位置から目的の輸液位置まで薬剤を運ぶためのカテーテル４２２を備えている。
【特許文献１】特表２００３−５２０６４８号公報
【発明の開示】
【発明が解決しようとする課題】
【０００６】
しかしながら、従来の自動注射システムにおいては、専用の無線装置を付属させる必要があり、また自動注射装置や付属する専用無線装置の構成が複雑になるという問題があった。
【０００７】
本発明は、かかる点に鑑みてなされたものであり、付属する無線装置として汎用の無線装置である既存の携帯電話端末を用い、かつ必要最小限の注射機構を装備する自動注射装置を用いた自動注射システムを提供することを目的とする。
【課題を解決するための手段】
【０００８】
かかる課題を解決するため、本発明の自動注射システムは、携帯電話端末と、前記携帯電話端末にオプション装置として着脱可能に取り付けることができ当該携帯電話端末からの作動指示を受けて薬物を体内に注入する必要最小限の仕組みを有する自動注射装置とを具備する構成を採る。
【０００９】
この構成によれば、構成が複雑な専用の無線装置を不要とすることができ、また自動注射装置も必要最小限の注射機構を装備すればよいので、簡易な構成の自動注射システムが得られる。
【００１０】
また、本発明の自動注射システムは、上記の発明において、前記自動注射装置は、前記携帯電話端末に着脱可能に取り付けるためのアダプタと、薬物を予め入れておくためのシリンダと、前記シリンダに接続された管の先端に取り付けられた注射針と、前記携帯電話端末からの作動指示を受けて前記シリンダを駆動し薬物を前記注射針に向けて送り込む制御を行う制御手段と、を具備する構成を採る。
【００１１】
この構成によれば、自動注射装置は、携帯電話端末を利用して体内に薬物を注入する必要最小限の仕組みを装備することができる。
【００１２】
また、本発明の自動注射システムは、上記の発明において、前記自動注射装置が有するシリンダの数は、少なくとも、ある使用期間内において薬物を注射する回数と等しい数であるという構成を採る。
【００１３】
この構成によれば、使用者は、予め各シリンダに薬物を注入しておけば、ある使用期間内において自動的に必要な回数の注射を受けることができる。
【００１４】
また、本発明の自動注射システムは、上記の発明において、前記携帯電話端末は、所定の着信があったときに前記自動注射装置に対して前記作動指示を発行するアプリケーションを具備する構成を採る。
【００１５】
この構成によれば、使用者は、携帯電話端末の着信をトリガーとして薬物を体内に注入する仕組みを利用することができる。
【００１６】
また、本発明の自動注射システムは、上記の発明において、前記携帯電話端末が有するアプリケーションは、予め登録されている電話番号からの着信があったときに前記自動注射装置に対して前記作動指示を発行する機能を具備する構成を取る。
【００１７】
この構成によれば、例えば、掛かり付けの医療機関から指示があったときに注射が行われるようにすることができる。
【００１８】
また、本発明の自動注射システムは、上記の発明において、前記携帯電話端末は、内蔵される時計が所定の時刻になったときに前記自動注射装置に対して前記作動指示を発行するアプリケーションを具備する構成を採る。
【００１９】
この構成によれば、使用者は、所定の時刻毎に薬物を体内に注入する仕組みを利用することができる。
【００２０】
また、本発明の自動注射システムは、上記の発明において、前記携帯電話端末は、ペースメーカやその他の電子機器に影響を与えにくい通信方式を具備する構成を採る。
【００２１】
この構成によれば、公共の場所において、ペースメーカやその他の電子機器に影響を与えることなく、本システムを使用することができる。
【発明の効果】
【００２２】
本発明によれば、薬物を体内に注入する必要最小限の仕組みを有する自動注射装置を既存の携帯電話端末にオプション装置として着脱可能に取り付け、携帯電話端末のアプリケーション機能を利用して自動注射装置を作動させるようにしたので、簡素な構成で必要な回数分の薬物を体内に自動的に注入することができる。
【発明を実施するための最良の形態】
【００２３】
本発明の骨子は、必要最小限の注射機構を装備する自動注射装置を既存の携帯電話端末にオプション装置として着脱可能に取り付け得るようにし、携帯電話端末のアプリケーション機能を利用して自動注射装置を作動させるようにすることである。
【００２４】
以下、本発明の実施の形態について図面を参照して詳細に説明する。
【００２５】
図１は、本発明の一実施の形態に係る自動注射システムの構成を示すブロック図である。図１に示す自動注射システムは、汎用の無線装置である既存の携帯電話端末１００と、この携帯電話端末１００にオプション装置として着脱可能に取り付けることができる自動注射装置１１０とで構成されている。
【００２６】
携帯電話端末１００は、特定の電話番号からの着信など所定の着信があったときに自動注射装置１１０に対して作動指示を発行するアプリケーションや、内蔵される時計が所定の時刻になったときに自動注射装置１１０に対して作動指示を発行するアプリケーションを備えている。
【００２７】
また、携帯電話端末１００は、Ｗ−ＣＤＭＡ（ＦＤＤ）方式等、ペースメーカやその他の電子機器に影響を与えにくい通信方式を持つものであることが望ましい。これは、公共の場所での使用を可能にする必要があるときに備えるためである。
【００２８】
自動注射装置１１０は、信号ケーブル１１１付のアダプタ１１２を携帯電話端末１００に抜き差しすることで、携帯電話端末１００にオプション装置として着脱可能に取り付けることができるようになっている。
【００２９】
この自動注射装置１１０は、薬物を体内に注入する必要最小限の仕組みとして、（１）使用者が１回分の薬物を予め入れておく例えば３個のシリンダ（第１シリンダ１１３、第２シリンダ１１４、第３シリンダ１１５）と、（２）３個のシリンダに一端が接続された可撓性のチューブ１１６と、（３）チューブ１１６の他端である先端に取り付けられ使用者が腕など体の一部に刺し込む注射針１１７と、（４）携帯電話端末１００から信号ケーブル１１１を介して作動指示を受け、３個のシリンダを所定の順序で駆動し薬物を注射針１１７に向けて送り込む制御を行う制御部１１８とを備えている。
【００３０】
なお、シリンダの個数を３個としたのは、ある使用期間（例えば１日）内で薬物を注射する回数を３回と仮定したことによるものである。使用期間とその使用期間内における注射回数は、医師の処方によって定められる。要するに、シリンダの個数は、医師の処方によって定められる使用期間において、少なくとも薬物を注射するのに必要な回数の数だけあればよいのである。また、シリンダに入れる薬物の種類と量も医師の処方によって定められていることは言うまでもない。
【００３１】
次に、図１〜図３を参照して、以上のように構成される自動注射システムの動作について説明する。なお、図２と図３は、図１に示す自動注射システムの動作を説明するフローチャートである。
【００３２】
図２では、携帯電話端末１００が特定の電話番号による着信など所定の着信があったときに自動注射装置１１０に対して作動指示を発行するアプリケーションを持つ場合の動作手順が示されている。
【００３３】
図２において、ステップＳＴ２０１では、使用者は、前準備として、（１）必要とする薬物の１回分の所定量を３つのシリンダにそれぞれ注入し、（２）注射針１１７を使用者が携帯電話端末１００を操作しない腕の任意位置にて静脈内に刺し込み、（３）携帯電話端末１００を待ち受けモードに設定する。
【００３４】
携帯電話端末１００は、着信があると（ステップＳＴ２０２：ＹＥＳ）、発呼者の電話番号が予め登録されている例えば特定の医療機関の電話番号であるか否かを調べる（ステップＳＴ２０３）。その結果、登録されている電話番号でない場合は（ステップＳＴ２０３：ＮＯ）、使用者による通常の通話等が行われ、それが終了すると、携帯電話端末１００は、待ち受けモード（ステップＳＴ２０２）に戻る。
【００３５】
一方、ステップＳＴ２０３において、携帯電話端末１００は、発呼者の電話番号が登録されている電話番号であると判定できると（ステップＳＴ２０３：ＹＥＳ）、自動注射装置１１０の制御部１１８に対して作動指示を発行する（ステップＳＴ２０４）。制御部１１８は、第１シリンダ１１３を駆動して薬物を注射針１１７に送り込み、使用者の体内に注入する（ステップＳＴ２０５）。携帯電話端末１００は、再び待ち受けモードに入る（ステップＳＴ２０６）。
【００３６】
次いで、携帯電話端末１００は、着信があると（ステップＳＴ２０６：ＹＥＳ）、発呼者の電話番号が予め登録されている例えば特定の医療機関の電話番号であるか否かを調べる（ステップＳＴ２０７）。その結果、登録されている電話番号でない場合は（ステップＳＴ２０７：ＮＯ）、使用者による通常の通話等が行われ、それが終了すると、携帯電話端末１００は、待ち受けモード（ステップＳＴ２０６）に戻る。
【００３７】
一方、ステップＳＴ２０７において、携帯電話端末１００は、発呼者の電話番号が登録されている電話番号であると判定できると（ステップＳＴ２０７：ＹＥＳ）、自動注射装置１１０の制御部１１８に対して作動指示を発行する（ステップＳＴ２０８）。制御部１１８は、第２シリンダ１１４を駆動して薬物を注射針１１７に送り込み、使用者の体内に注入する（ステップＳＴ２０９）。携帯電話端末１００は、再び待ち受けモードに入る（ステップＳＴ２１０）。
【００３８】
そして、携帯電話端末１００は、着信があると（ステップＳＴ２１０：ＹＥＳ）、発呼者の電話番号が予め登録されている例えば特定の医療機関の電話番号であるか否かを調べる（ステップＳＴ２１１）。その結果、登録されている電話番号でない場合は（ステップＳＴ２１１：ＮＯ）、使用者による通常の通話等が行われ、それが終了すると、携帯電話端末１００は、待ち受けモード（ステップＳＴ２１０）に戻る。
【００３９】
一方、ステップＳＴ２１１において、携帯電話端末１００は、発呼者の電話番号が登録されている電話番号であると判定できると（ステップＳＴ２１１：ＹＥＳ）、自動注射装置１１０の制御部１１８に対して作動指示を発行する（ステップＳＴ２１２）。制御部１１８は、第３シリンダ１１５を駆動して薬物を注射針１１７に送り込み、使用者の体内に注入する（ステップＳＴ２１３）。このようにして所定回数（３回）の注射が行われる。
【００４０】
次に、図３では、携帯電話端末１００が内蔵する時計機能を利用して所定の時間毎に自動注射装置１１０に対して作動指示を発行するアプリケーションを持つ場合の動作手順が示されている。シリンダの個数は３個であるので、例えば１日の使用期間内に３回注射するとすれば、例えば６時間毎になどということになる。
【００４１】
図３において、ステップＳＴ３０１では、使用者は、前準備として、（１）必要とする薬物の一回分の所定量を３つのシリンダにそれぞれ注入し、（２）注射針１１７を使用者が携帯電話端末１００を操作しない腕の任意位置にて静脈内に刺し込み、（３）携帯電話端末１００の時計機能を起動する。
【００４２】
携帯電話端末１００は、内蔵の時計を参照し（ステップＳＴ３０２）、所定の時間になるまで自動注射装置１１０を待機状態にしておく（ステップＳＴ３０２：ＮＯ）。所定の時間になると（ステップＳＴ３０２：ＹＥＳ）、携帯電話端末１００は、自動注射装置１１０の制御部１１８に作動指示を発行する（ステップＳＴ３０３）。制御部１１８は、第１シリンダ１１３を駆動して薬物を注射針１１７に送り込み、使用者の体内に注入する（ステップＳＴ３０４）。携帯電話端末１００は、再び内蔵の時計を参照し（ステップＳＴ３０５）、所定の時間になるまで自動注射装置１１０を待機状態にしておく（ステップＳＴ３０５：ＮＯ）。
【００４３】
次いで携帯電話端末１００は、所定の時間になると（ステップＳＴ３０５：ＹＥＳ）、自動注射装置１１０の制御部１１８に作動指示を発行する（ステップＳＴ３０６）。制御部１１８は、第２シリンダ１１４を駆動して薬物を注射針１１７に送り込み、使用者の体内に注入する（ステップＳＴ３０７）。携帯電話端末１００は、再び内蔵の時計を参照し（ステップＳＴ３０８）、所定の時間になるまで自動注射装置１１０を待機状態にしておく（ステップＳＴ３０８：ＮＯ）。
【００４４】
そして携帯電話端末１００は、所定の時間になると（ステップＳＴ３０８：ＹＥＳ）、自動注射装置１１０の制御部１１８に作動指示を発行する（ステップＳＴ３０９）。制御部１１８は、第３シリンダ１１５を駆動して薬物を注射針１１７に送り込み、使用者の体内に注入する（ステップＳＴ３１０）。このように、携帯電話端末１００が内蔵する時計機能を利用しても所定回数（３回）の注射が行える。
【００４５】
以上のように、本実施の形態によれば、薬物を体内に注入する必要最小限の仕組みを有する自動注射装置を既存の携帯電話端末にオプション装置として着脱可能に取り付け、例えば、所定の番号からの着信があったとき、あるいは、所定の時刻になったときに自動注射装置を作動させるという携帯電話端末のアプリケーション機能を利用できるようにしたので、簡素な構成で必要な回数分の薬物を体内に自動的に注入することができる。
【産業上の利用可能性】
【００４６】
本発明は、体内に薬物を自動的に注入する自動注射システムを、構成を複雑化することなく構築するのに好適である。
【図面の簡単な説明】
【００４７】
【図１】本発明の一実施の形態に係る自動注射システムの構成を示すブロック図
【図２】図１に示す自動注射システムの動作（その１）を説明するフローチャート
【図３】図１に示す自動注射システムの動作（その２）を説明するフローチャート
【図４】従来の自動注射システムの構成を示すブロック図
【符号の説明】
【００４８】
１００  携帯電話端末
１１０  自動注射装置
１１１  信号ケーブル
１１２  アダプタ
１１３  第１シリンダ
１１４  第２シリンダ
１１５  第３シリンダ
１１６  チューブ
１１７  注射針
１１８  制御部
【図１】
2005253536.tif 000003
【図２】
2005253536.tif 000004
【図３】
2005253536.tif 000005
【図４】
2005253536.tif 000006